(57)【要約】【課題】  送信ダイバーシティを使用する移動通信システムにおける送信ダイバーシティの方式転換装置及び方法を提供する。【解決手段】  少なくとも一つ以上のアンテナで構成された基地局と、複数個のアンテナが最大送信ダイバーシティを具現するように送信ダイバーシティ情報を基地局に伝送する移動端末と、からなる移動通信システムで、送信ダイバーシティのモードが変更される場合、基地局が最大送信ダイバーシティを具現できるように多数のアンテナを通じて伝送するデータに加重値を付与する方法において、移動端末から伝送された送信ダイバーシティ情報を利用してモードが変更されたか否かを判断する過程と、モードが変更されたと判断されると、モード変更以前に使用した加重値との対応関係を考慮して生成された加重値をアンテナを通じて伝送するデータに付与する過程と、からなる。【選択図】  図９
2004343773.tif 000002
【特許請求の範囲】
【請求項１】
送信ダイバーシティ技法を利用してデータを伝送する基地局と、前記基地局が最大送信ダイバーシティ性能を有するようにアンテナの加重値を基地局に伝送する移動端末と、を含む移動通信システムで、最大送信ダイバーシティを具現できるように前記基地局が前記送信ダイバーシティ技法を変更する方法において、
前記移動端末から受信された送信ダイバーシティ情報を利用して前記送信ダイバーシティ技法が変更されたか否かを判断する過程と、
前記送信ダイバーシティ技法が変更されたと判断されると、相異なる送信ダイバーシティ技法で使用する加重値間の予め設定された対応関係を利用してそれぞれのアンテナに対する加重値を生成する過程と、
前記生成された加重値を利用してデータを伝送する過程と、を含むことを特徴とする方法。
【請求項２】
前記変更前に使用された送信ダイバーシティ技法の加重値と変更後に使用される送信ダイバーシティ技法の加重値が加重値情報を示す星座図で同一の四分面に存在するように前記相異なる送信ダイバーシティ技法の加重値を対応させることを特徴とする請求項１記載の方法。
【請求項３】
開ループ送信ダイバーシティ技法から閉ループ送信ダイバーシティ技法に変更される場合、前記相異なる送信ダイバーシティ技法の加重値間の予め設定された対応関係を利用して加重値を生成することを特徴とする請求項２記載の方法。
【請求項４】
予め設定された対応関係により生成された加重値に前記ダイバーシティ情報に応じて位相情報を更新するか、または位相情報と大きさ情報を更新して最大送信ダイバーシティを有する各アンテナで使用する加重値を生成することを特徴とする請求項３記載の方法。
【請求項５】
前記閉ループ送信ダイバーシティ技法は、位相情報のみを有しているモード１と、位相情報と大きさ情報を有しているモード２と、からなることを特徴とする請求項２記載の方法。
【請求項６】
前記モード１の各アンテナで使用する加重値は、下記＜数式１＞で示されることを特徴とする請求項５記載の方法。
【数１】
2004343773.tif 000019
ｗ１:基準アンテナで使用する加重値
ｗ２:前記基準アンテナを除外したアンテナで使用する加重値
【請求項７】
前記モード２の各アンテナで使用する加重値は、下記＜数式２＞で示されることを特徴とする請求項５記載の方法。
【数２】
2004343773.tif 000020
ｗ１:前記基準アンテナで使用する加重値
ｗ２:前記基準アンテナを除外したアンテナで使用する加重値
【請求項８】
前記モード１からモード２に変更される場合、前記変更されたモードの各アンテナで使用する大きさ情報は同一であることを特徴とする請求項５記載の方法。
【請求項９】
送信ダイバーシティ技法を利用してデータを伝送する基地局と、前記基地局が最大送信ダイバーシティ性能を有するように多数のアンテナの加重値を基地局に伝送する移動端末とを含む移動通信システムで、送信ダイバーシティ技法を変更するとき、前記最大送信ダイバーシティを具現するように動作するデータ送信装置において、
前記移動端末から受信された送信ダイバーシティ情報を利用して送信ダイバーシティの技法が変更されたか否かを判断する送信ダイバーシティモード変更判断部と、
前記判断結果に応じて相異なる送信ダイバーシティ方式の加重値間の予め設定された対応関係を利用してそれぞれのアンテナに対する加重値を生成し、前記生成された加重値を信号処理部に伝達する加重値生成部と、
前記生成された加重値を使用してデータを伝送する信号処理部と、からなることを特徴とする装置。
【請求項１０】
前記加重値生成器は、
前記技法が変更されたと判断されると、変更前に使用された送信ダイバーシティ技法の加重値と変更後に使用される送信ダイバーシティ技法の加重値が同一の四分面に存在する星座図で前記技法変更に従う加重値を選択して生成し、前記技法が変更されなかったと判断されると、受信した加重値情報を利用して新たな加重値を生成することを特徴とする請求項９記載の装置。
【請求項１１】
前記加重値生成器は、開ループ送信ダイバーシティ技法から閉ループ送信ダイバーシティ技法に変更されたと判断されると、前記星座図で加重値を選択して生成することを特徴とする請求項１０記載の装置。
【請求項１２】
前記加重値生成器は、前記閉ループ送信ダイバーシティ技法から前記開ループ送信ダイバーシティ技法に変更されたと判断されると、前記星座図で加重値を生成しないことを特徴とする請求項１０記載の装置。
【請求項１３】
前記加重値生成器は、位相情報のみを有しているモード１と、位相情報と大きさ情報を有しているモード２で構成された前記閉ループ送信ダイバーシティモードを貯蔵していることを特徴とする請求項９記載の装置。
【請求項１４】
前記モード１の各アンテナで使用する加重値は、下記＜数式３＞で示されることを特徴とする請求項１３記載の装置。
【数３】
2004343773.tif 000021
ｗ１:基準アンテナで使用する加重値
ｗ２:前記基準アンテナを除外したアンテナで使用する加重値
【請求項１５】
前記モード２の各アンテナで使用する加重値は、下記＜数式４＞で示されることを特徴とする請求項１３記載の装置。
【数４】
2004343773.tif 000022
ｗ１:前記基準アンテナで使用する加重値
ｗ２:前記基準アンテナを除外したアンテナで使用する加重値
【請求項１６】
前記モード１からモード２に変更される場合、前記変更されたモードの各アンテナで使用する大きさ情報は同一であることを特徴とする請求項１３記載の装置。
【請求項１７】
送信ダイバーシティ技法を利用してデータを伝送する基地局と、前記基地局が最大送信ダイバーシティ性能を有するように多数のアンテナの加重値を基地局に伝送する移動端末とを含む移動通信システムで、送信ダイバーシティ技法を変更する方法において、
移動端末が多数のアンテナを通じて伝送される信号を受信して前記基地局のチャネル状態を推定する過程と、
前記チャネル状態を通じて最大送信ダイバーシティを有する前記アンテナの加重値を決定して送信ダイバーシティ情報に含めて基地局に伝送する過程と、
基地局が前記情報を通じて前記送信ダイバーシティの技法が変更されたかを判断し、前記送信ダイバーシティ技法が変更された場合、予め設定された送信ダイバーシティ技法の対応関係を考慮してそれぞれのアンテナに対する加重値を生成する過程と、
データを前記生成された加重値を利用して前記多数のアンテナを通じて伝送する過程と、を含む特徴とする方法。
【請求項１８】
移動端末は前記送信ダイバーシティ情報をフィードバックフィールドに割り当てて上向き専用物理制御チャネルを通じて基地局に伝送することを特徴とする請求項１７記載の方法。
【請求項１９】
予め設定された送信ダイバーシティ技法の対応関係は、前記変更前に使用された送信ダイバーシティ技法の加重値と変更後に使用される送信ダイバーシティ技法の加重値が加重値情報を示す星座図で同一の四分面に存在するように前記相異なる送信ダイバーシティ技法の加重値を対応させることを特徴とする請求項１７記載の方法。
【発明の詳細な説明】
【技術分野】
【０００１】
本発明は、移動通信システムに関し、特に基地局が送信ダイバーシティ方式を用いてデータを伝送するとき、送信ダイバーシティ方式の変更に応じて加重値を変更適用する装置及び方法に関する。
【背景技術】
【０００２】
移動通信システム(Mobile Telecommunication System)が急速に発展し、前記移動通信システムでサービスするデータ量が急速に増加するにつれて、より高速のデータを伝送するための３世代移動通信システムが開発された。このような３世代移動通信システムとして、ヨーロッパは基地局間非同期方式である広帯域符号分割多重接続(Wideband-Code Division Multiple Access、以下、Ｗ-ＣＤＭＡ)方式を、北米は基地局間同期方式である符号分割多重接続-２０００(ＣＤＭＡ-２０００)方式を無線接続規格として標準化しており、前記移動通信システムは通常的に一つの基地局(Node B)を通じて多数個の使用者端末機(ＵＥ:User Equipment)が通信する形態で構成される。しかし、前記移動通信システムで高速データ伝送のとき、無線チャネル上で発生するフェーディング(fading)現象により受信信号の歪曲が発生するようになる。前記フェーディング現象は受信信号の振幅を数ｄＢから数十ｄＢまで減少させるので、フェーディング現象により歪曲された受信信号はデータ復調のとき、適切な補償が遂行されないと、送信側で伝送した送信データの情報誤り原因になり、移動通信サービスの品質を低下させるようになる。そのため、移動通信システムで高速のデータサービス品質を低下することなく伝送するためにはフェーディング現象を克服しなければならない。このようなフェーディング現象を克服するための方法の一つとして多様な種類のダイバーシティ(Diversity)方式が使用される。
【０００３】
一般的に、ＣＤＭＡ方式ではチャネル信号の遅延拡散(delay spread)を利用してダイバーシティ受信するレーキ(Rake)受信器を使用している。前記レーキ受信器は多重経路(multi-path)信号を受信するための受信ダイバーシティが適用されており、前記レーキ受信器の各フィンガーには一つの信号経路を割り当てられて復調を遂行する。一方、前述した遅延拡散を利用するダイバーシティ技法を適用したレーキ受信器は、遅延拡散が設定値より小さい場合、動作しない問題点がある。また、インタリービング(Interleaving)方式とコーディング(Coding)方式を利用する時間ダイバーシティ(Time diversity)方式は、一般的にドップラー拡散(Doppler spread)チャネルで使用される。しかし、前記時間ダイバーシティ方式は低速ドップラー拡散チャネルでは利用することが困難であるとの問題点があった。
【０００４】
そのため、室内チャネルのような遅延拡散が少ないチャネルとウォーカー(walker)チャネルのようなドップラー拡散が低速であるチャネルでは、前記フェーディング現象を克服するために、空間ダイバーシティ(Space Diversity)技法が使用される。前記空間ダイバーシティ技法は２個以上の送受信アンテナを利用するダイバーシティ技法である。即ち、１個のアンテナを通じて伝送された信号がフェーディング現象によりその信号の大きさが減少する場合、残りのアンテナを通じて伝送された信号を受信して送信信号を復調する方式である。前記空間ダイバーシティは受信アンテナを利用する受信アンテナダイバーシティ方式と送信アンテナを利用する送信ダイバーシティ方式に分類することができる。しかし、前記受信アンテナダイバーシティ方式の場合、使用者端末機に適用するので、使用者端末機の大きさと費用側面で多数個のアンテナを設置することが困難であって、一般的に基地局に多数個のアンテナを設置する送信ダイバーシティ方式が使用される。
【０００５】
前記送信ダイバーシティ方式は送信端で多重のアンテナを通じて信号を伝送し、受信端で各アンテナの信号を受信、復調及び結合(Combining)することにより、フェーディングチャネルを克服する方法である。Ｗ-ＣＤＭＡでは標準案に応じて基地局で２個のアンテナを用いて前記送信ダイバーシティ方式を具現する。
【０００６】
前記送信ダイバーシティ方式は受信端で下向き(down-link)信号を受信してダイバーシティ利得を得るようにするアルゴリズムを意味し、開ループ送信ダイバーシティ(Open-loop Transmit Diversity)と閉ループ送信ダイバーシティ(Closed-loop Transmit Diversity)に大別される。また、前記開ループ送信ダイバーシティ方法には時間交差ダイバーシティ(Time-Switched Transmit Diversity;以下、ＴＳＴＤ)方式と空間時間ダイバーシティ(Space-Time Transmit Diversity;以下、ＳＴＴＤ)方式があり、前記閉ループ送信ダイバーシティ方法には送信アンテナアレイ(Transmit Antenna Array;以下、ＴｘＡＡ)方式がある。
【０００７】
前記開ループ送信ダイバーシティは、基地局で情報ビット(information bits)をエンコーディング(Encoding)して複数のダイバーシティアンテナを通じて伝送すると、使用者端末機で前記基地局から伝送された信号を受信してディコーディング(Decoding)することによりダイバーシティ利得を得るようになる方式である。
【０００８】
一方、前記閉ループ送信ダイバーシティは、(１)使用者端末機が基地局の送信アンテナそれぞれを通じて伝送された信号が経るようになるチャネル環境を予測して計算し、(２)使用者端末機が前記計算された予測値に基づいて受信信号の電力を最大に生成することができる基地局アンテナの加重値(Weight)を計算して上向き物理チャネル(Uplink)を通じて基地局に伝送すると、(３)基地局が前記使用者端末機で伝送した加重値信号を受信してそれぞれのアンテナに受信された加重値を適用する方式である。ここで、前記基地局は前記使用者端末機のチャネル測定のために多数個のアンテナ別に区分されるパイロット信号を伝送し、これに前記使用者端末機は前記アンテナ別に区分されるパイロット信号を用いてチャネルを測定し、前記測定されたチャネル情報に基づいて最適の加重値を生成する。
【０００９】
以下、図１を参照して前記閉ループ送信ダイバーシティ方法に対してより具体的に説明する。前記図１は閉ループ送信ダイバーシティ方法の具現技術である前記ＴｘＡＡ方式を使用する送信器の構造を示した図である。
【００１０】
多数の制御信号を伝送するための専用物理制御チャネル(Dedicated Physical Control CHannel;以下、ＤＰＣＣＨ)及び情報信号を伝送するための専用物理データチャネル(Dedicated Physical Data CHannel;以下、ＤＰＤＣＨ)は、多重化され専用物理チャネル(Dedicated Physical CHannel;以下、ＤＰＣＨ)１０２を形成する。この時、前記ＤＰＣＣＨ及びＤＰＤＣＨは下向きリンク(Downlink)では一般的に時間多重化(Time Multiplexing)される。
【００１１】
乗算器１０４は前記ＤＰＣＨ信号をスクランブリングコードを用いてスクランブル(scramble)する。一方、前記スクランブルされたＤＰＣＨ信号は前記閉ループ送信ダイバーシティを適用するために、乗算器１０６、１０８により所定の加重値(Weight)Ｗ１及びＷ２がそれぞれかけられ、前記演算されたそれぞれの信号は第１アンテナ１１４及び第２アンテナ１１６を通じて送信される。
【００１２】
前記加重値を適用する方法に従って前記閉ループ送信ダイバーシティの方式が分類される。即ち、前記二つのアンテナから受信された信号間の位相差のみを考慮して加重値を決定するモード１(Mode１)方式と前記位相差と大きさ差を共に考慮して加重値を決定するモード２(Mode２)方式がある。
【００１３】
一方、前記第１アンテナ及び第２アンテナに伝送される信号はそれぞれのアンテナを通じて伝送されるチャネルの状態を測定するために、それぞれ多重化器１１０、１１２により各アンテナ別に設定された固有のパイロット信号(ＣＰＩＣＨ１、ＣＰＩＣＨ２)と多重化される。
【００１４】
移動端末は受信器で前記それぞれのアンテナを通じて伝送された信号を受信し、前記パイロット信号を用いてそれぞれのアンテナのチャネル状態を測定した後、前記二つのアンテナのパイロット信号に加重値をかけた後加えた受信信号の電力が最大になるようにする加重値(Weight)を各アンテナに対して決定する。前記加重値の情報は予め定めたいくつかのセット(set)に定義されており、受信端では可能な加重値セット中で前記加重値を適用した場合、受信電力が最大になる一つの加重値を決定する。前記決定された加重値に対する情報が上向きＤＰＣＣＨメッセージのフィードバック情報(Feedback Information;以下、ＦＢＩ)フィールドを通じて伝送されると、送信器のＦＢＩメッセージ判断器１１８では前記受信端から受信した前記フィードバック情報を分析し、加重値生成器１２０で各アンテナ別加重値Ｗ１及びＷ２を生成して、前記伝送しようとするＤＰＣＨ信号にそれぞれかけるようになる。
【００１５】
以下、図２乃至図３を利用して上向きＤＰＣＣＨの構造と前記ＦＢＩ構造に対して説明する。図２は前記上向きＤＰＣＣＨの構造を示している。前記上向きＤＰＣＣＨの１フレームは１５個のスロットで構成され、それぞれのスロットはパイロットシンボル、伝送フォーマット組合せインジケータ(Transmit Format Combination Indicator:以下、ＴＦＣＩ)ビット、フィードバック情報(Feedback Information:以下、ＦＢＩ)シンボル及び下向き送信電力制御命令語(Transmit Power Control Commander:以下、ＴＰＣ)シンボルで構成される。前記パイロットシンボルは端末機が基地局に伝送するデータを復調するときにチャネル推定信号として利用し、前記ＴＦＣＩビットは現在伝送されているフレーム間のチャネルがどのような伝送フォーマット組合せ(ＴＦＣ)を使用してデータを伝送するかを示す。前記ＦＢＩは送信ダイバーシティの使用に応じたフィードバック情報を伝送し、前記ＴＰＣシンボルは順方向チャネルの送信電力を制御するためのシンボルである。前記上向きＤＰＣＣＨは直交コードを利用して拡散され伝送される。この時、使用される拡散率(spreading factor、ＳＦ)は２５６に固定されている。
【００１６】
図３は前記上向きＤＰＣＣＨの一部であるＦＢＩの構造を示している。前記ＦＢＩシンボルはＳフィールドとＤフィールドに分けられる。前記Ｓフィールドは前記ＳＴＴＤ信号のためのフィールドであり、前記Ｄフィールドは閉ループ送信ダイバーシティのためのフィールドである。従って、前記移動端末は上向きＤＰＣＣＨのＦＢＩのＤフィールドを通じて加重値情報を伝送する。前記Ｄフィールドはスロット当り最大１ビットの大きさを有する。
【００１７】
一方、前記Ｗ-ＣＤＭＡ方式を使用する通信システムのチャネルは、信号処理階層別に物理チャネル(Physical Channel)、伝送チャネル(Transport Channel)及び論理チャネル(Logical Channel)に大別される。前記空間上で実際にデータを伝送する物理チャネルは、情報データ伝送方向に応じて下向き物理チャネルと上向き物理チャネルに分類することができる。
また、前記各物理チャネルで使用される送信ダイバーシティ方式は、下記＜表１＞のようである。
【００１８】
【表１】
2004343773.tif 000003
【００１９】
この時、前記物理チャネルに前記送信ダイバーシティ方式を適用することにおいて要求される原則は下記のようである。
１)同じ物理チャネルにＳＴＴＤ方式と閉ループ送信ダイバーシティ方式を同時に適用できない。
２)所定の下向きリンクに送信ダイバーシティ方式が適用された場合、Ｐ−ＣＣＰＣＨとＳＣＨは常に送信ダイバーシティ方式が適用されるべきである。
【００２０】
３)ＰＤＳＣＨとこれに対応されるＤＰＣＨは同じ送信ダイバーシティ方式を使用すべきである。
４)ＨＳ-ＳＣＣＨとＨＳ-ＰＤＳＣＨとこれに対応されるＤＰＣＨは同じ送信ダイバーシティ方式を使用すべきである。
【００２１】
Ｗ-ＣＤＭＡ方式のＵＭＴＳシステムの場合、ソフトハンドオーバーのとき、複数の基地局から伝送されるＤＰＣＨをコンバイニングする。この時、同時に受信されるＤＰＣＨを送信する基地局間で送信ダイバーシティ方式の使用に対しては標準案に応じて次のような規則に従う。
【００２２】
１)基地局は所望する使用者端末機にＤＰＣＨを送信するとき、一つの送信ダイバーシティ方式を使用する。即ち、開ループ送信ダイバーシティと閉ループ送信ダイバーシティ方式を重複使用しない。
２)現在使用者端末機にサービスしている全ての基地局が送信ダイバーシティ方式を使用しない場合、新たに追加されＤＰＣＨを送信しようとする基地局は送信ダイバーシティ方式を使用するか否かに対して既存の基地局により影響を受けない。
【００２３】
３)現在使用者端末機にサービスしている基地局で一つ以上の基地局が開ループ送信ダイバーシティ方式を使用してＤＰＣＨを送信している場合、新たに追加される基地局は開ループ送信ダイバーシティ方式を使用してＤＰＣＨを送信するか、送信ダイバーシティ方式を使用しなくＤＰＣＨを送信することができる。
【００２４】
４)現在使用者端末機にサービスしている基地局で一つ以上の基地局が閉ループ送信ダイバーシティモード１方式を使用してＤＰＣＨを送信している場合、新たに追加される基地局は閉ループ送信ダイバーシティモード１方式を使用してＤＰＣＨを送信するか、送信ダイバーシティ方式を使用しなくＤＰＣＨを送信することができる。
【００２５】
５)現在使用者端末機にサービスしている基地局で一つ以上の基地局が閉ループ送信ダイバーシティモード２方式を使用してＤＰＣＨを送信している場合、新たに追加される基地局は閉ループ送信ダイバーシティモード２方式を使用してＤＰＣＨを送信するか、送信ダイバーシティ方式を使用しなくＤＰＣＨを送信することができる。
【００２６】
即ち、簡単に説明すると、ソフトハンドオバー(soft handover)のとき、下向きリンクＤＰＣＨを二つ以上の基地局から受信する場合、前記基地局ごとに送信ダイバーシティ方式を使用するか否かに対しては他の基地局の使用により影響を受けない。一方、送信ダイバーシティ方式を使用する場合においては閉ループ送信ダイバーシティ方式と開ループ送信ダイバーシティ方法を同時に使用できなく、前記閉ループ送信ダイバーシティ方式を使用する場合、モード１方式とモード２方式も同時に使用できないようになる。即ち、前記使用者端末機にサービスしている複数個の基地局は送信ダイバーシティ方式のうち、一つの方式のみを選択して使用すべきである。
【００２７】
以下、前記移動端末が加重値を生成する方法に対して説明する。前記移動端末は前記ＣＰＩＣＨを使用してチャネル推定を遂行する。この推定値を行列（Ｈ）に示すと、数式（１）のように表現される。
【００２８】
【数１】
2004343773.tif 000004
【００２９】
前記ｈ１とｈ２は２個の送信アンテナに対するチャネル推定ベクトルである。前記移動端末は前記チャネル推定ベクトル値を利用して下記数式（２）の値を最大にする加重値ｗ１とｗ２の値を選択する。
【００３０】
【数２】
2004343773.tif 000005
【００３１】
前記wは
【００３２】
【数３】
2004343773.tif 000006
【００３３】
を意味する。前記数式（２）のＰは現在チャネル状況で第１アンテナと第２アンテナに加重値情報を適用した場合の受信電力を示す。前記移動端末は前記受信電力の値を最大にする加重値を検索して前記基地局に伝送する。
【００３４】
図４は前記閉ループ送信ダイバーシティのために前記移動端末から前記基地局に伝送するフィードバック信号(feedback signal message:ＦＳＭ)の構造を示している。前記フィードバック信号の構造は前記図３のＦＢＩのうちＤフィールドを通じて伝送される。前記フィードバック信号は位相情報を示すＦＳＭph部分と大きさ情報を示すＦＳＭpo部分に区分される。
【００３５】
上述したように移動端末がハンドオーバーを遂行する場合、ハンドオーバーを遂行する以前基地局で使用する送信ダイバーシティ技法とハンドオーバーを遂行した後の基地局で使用する送信ダイバーシティ技法が異なる場合が発生することができる。ハンドオーバー遂行前の信号を送信する基地局とハンドオーバー遂行後の信号を送信する基地局で使用する送信ダイバーシティ技法が同一であると、移動端末は送信ダイバーシティ技法を変更しなくてもよい。しかし、ハンドオーバー遂行前の信号を送信する基地局とハンドオーバー遂行後の信号を送信する基地局で使用する送信ダイバーシティ技法が同一でない場合、前記移動端末はハンドオーバー状況に応じて送信ダイバーシティ技法を変更しなければならない。
【００３６】
前記移動端末が送信ダイバーシティ技法を変更する場合、特に、閉ループ送信ダイバーシティ方式のモード間変更が発生する場合、変更後初期加重値を設定すべきである。前記基地局は前記移動端末での受信電力が最大になる加重値情報を全て受信すべきであり、記受信された加重値情報を利用してデータを伝送する。しかし、前記図４に示しているように、前記加重値情報は閉ループ送信ダイバーシティ技法モード１である場合は２ビットで、送信ダイバーシティ技法モード２である場合は４ビットで構成されており、一つのビットは一つのスロットを通じて伝送される。そのため、前記基地局は前記移動端末が伝送する加重値情報を全て受信して適切な加重値を適用するためには一定時間が所要される。従って、前記基地局は前記一定時間以前に伝送するデータに対しては基地局と移動端末間に約束された任意の加重値を利用して伝送すべきである。この場合、現在チャネル状況が反映されないので、受信電力を最上にする加重値が適用されない短所を有し、チャネル状況が反映された加重値が適用されるまで信号に対しては最適の加重値が適用されないので、性能低下現象が発生する。従って、ハンドオーバーを遂行する場合、前記問題を補完することができる方案が論議される。
【発明の開示】
【発明が解決しようとする課題】
【００３７】
従って、本発明の目的は、送信ダイバーシティ方式の変更時点で送信ダイバーシティの性能低下を最小化するための装置及び方法を提案することにある。
本発明の他の目的は、閉ループ送信ダイバーシティモードが変更される場合と送信ダイバーシティモードが変更されない場合に使用する加重値を相異なるように設定することにより、効率的な送信ダイバーシティを具現する装置及び方法を提案することにある。
【課題を解決するための手段】
【００３８】
このような目的を達成するための本発明によると、送信ダイバーシティ技法を利用してデータを伝送する基地局と、前記基地局が最大送信ダイバーシティ性能を有するようにアンテナの加重値を基地局に伝送する移動端末と、を含む移動通信システムで、最大送信ダイバーシティを具現できるように前記基地局が前記送信ダイバーシティ技法を変更する方法において、前記移動端末から受信された送信ダイバーシティ情報を利用して前記送信ダイバーシティ技法が変更されたか否かを判断する過程と、前記送信ダイバーシティ技法が変更されたと判断されると、相異なる送信ダイバーシティ技法で使用する加重値間の予め設定された対応関係を利用してそれぞれのアンテナに対する加重値を生成する過程と、前記生成された加重値を利用してデータを伝送する過程と、を含む。
【００３９】
このような目的を達成するための本発明によると，送信ダイバーシティ技法を利用してデータを伝送する基地局と、前記基地局が最大送信ダイバーシティ性能を有するように多数のアンテナの加重値を基地局に伝送する移動端末とを含む移動通信システムで、送信ダイバーシティ技法を変更するとき、前記最大送信ダイバーシティを具現するように動作するデータ送信装置において、前記移動端末から受信された送信ダイバーシティ情報を利用して送信ダイバーシティの技法が変更されたか否かを判断する送信ダイバーシティモード変更判断部と、前記判断結果に応じて相異なる送信ダイバーシティ方式の加重値間の予め設定された対応関係を利用してそれぞれのアンテナに対する加重値を生成し、前記生成された加重値を信号処理部に伝達する加重値生成部と、前記生成された加重値を使用してデータを伝送する信号処理部と、からなる。
【発明の効果】
【００４０】
本発明は送信ダイバーシティ技法が変更される場合のうち、閉ループ送信ダイバーシティモード間に変更が発生する場合、変更されたモードで変更初期時に使用する加重値を以前に使用した加重値情報を利用して設定することにより、無線チャネルの状態を反映して送信ダイバーシティの性能低下を最小化する効果がある。
【発明を実施するための最良の形態】
【００４１】
以下、本発明に従う好適な一実施形態について添付図を参照しつつ詳細に説明する。下記の説明において、本発明の要旨のみを明瞭にする目的で、関連した公知機能又は構成に関する具体的な説明は省略する。
【００４２】
先ず、閉ループ送信ダイバーシティのモード１とモード２に対して詳細に説明する。
図５は前記閉ループ送信ダイバーシティのモード１の第２アンテナで使用する加重値を示す。前記各加重値は大きさが同一であり、位相のみに対して９０°の差異を有する。前記モード１に適用される第１アンテナと第２アンテナのための加重値集合は数式（３）のようである。
【００４３】
【数４】
2004343773.tif 000007
【００４４】
前記数式（３）に示しているように、前記第１アンテナのための加重値は大きさのみを示しているのに対して、前記第２アンテナのための加重値は大きさと位相を示している。前記モード１の加重値は上述したように同一の大きさである１／√２を有する。
【００４５】
図５は前記閉ループ送信ダイバーシティモード１の第２アンテナで使用する加重値集合を示している星座図である。前記モード１の第１アンテナで使用する加重値は位相が０であることは上述したようである。前記移動端末は前記数式（２）により前記最大受信電力を有するｗ２を求める。前記移動端末は前記最大受信電力を求めるために全てのｗ２を前記数式（２）により受信電力値を計算し、前記計算された受信電力値うちで最大受信電力値を有する加重値を把握するようになる。前記移動端末は把握された第２アンテナに対する加重値と前記第１アンテナに対する加重値と共に伝送する。しかし、前記移動端末は前記第１アンテナのための加重値は一定な値を有するので、第２アンテナのための加重値のみを前記基地局に伝送することができる。以下、前記移動端末が前記第２アンテナのための加重値のみを伝送する場合に限定して説明する。前記移動端末で求めた加重値は前記上向きＤＰＣＣＨを利用して前記基地局に伝送する。前記モード１を使用する移動端末は、前記位相情報のみを伝送するので、前記図４に示したＦＳＭ構造のうち、位相成分のみを伝送し、前記位相情報のみを伝送するためには２ビットのみを使用する。
【００４６】
上述したように前記ＦＳＭに関する情報は、１スロット当り１ビットのみを伝送する。即ち、前記移動端末はスロット番号が偶数である場合、０またはπのうち、決定された一つの値を伝送し、前記スロット番号が奇数である場合、π/２または-π/２のうち、決定された一つの値を伝送する。前記基地局は前記上向きＤＰＣＣＨを通じて受信されたＦＢＩのＦＳＭビットを利用して該当スロットで伝送する位相情報を得る。前記位相情報を利用して前記基地局は前記移動端末で伝送する加重値情報を得るようになる。＜表２＞は前記移動端末でスロット単位に伝送する加重値情報を示す。
【００４７】
【表２】
2004343773.tif 000008
【００４８】
数式（４）は前記移動端末が伝送する加重値情報を一般化して示している。
【００４９】
【数５】
2004343773.tif 000009
【００５０】
前記基地局は特定スロットでフィードバック信号が受信されると、前記特定スロット以前スロットで受信されたフィードバック信号を通じて得られた加重値情報を変更するようになる。そして、前記基地局は前記１番目のフィードバック信号の受信前まで第２アンテナのための初期加重値として
【００５１】
【数６】
2004343773.tif 000010
【００５２】
を使用する。前記基地局が１番目のＦＳＭ情報を受信すると、第２アンテナのための加重値は数式（５）を利用して求める。
【００５３】
【数７】
2004343773.tif 000011
【００５４】
前記φ０は基地局で最初に受信したＦＳＭ情報として０番のスロットで伝送されてくる値である。前記基地局は前記０番スロットで伝送された情報と前記初期加重値として貯蔵されている情報を利用して加重値を更新する。また、前記基地局は１番スロットでＦＳＭ情報が伝送されると、前記１番スロットで伝送された情報と前記０番スロットを通じて伝送された情報を有して更新した加重値を利用して加重値情報を更新する。前記閉ループ送信ダイバーシティモード２で前記基地局はチャネル状況に合わせて加重値情報を設定するためには、ラウンドトリップデレイ(round trip delay)を考慮すると、４スロット程度が必要である。
【００５５】
以下、閉ループ送信ダイバーシティモード２に対して説明する。図６は前記閉ループ送信ダイバーシティモード２で使用する加重値情報を示した星座図である。前記図６に示しているように、前記モード２で使用する加重値情報は大きさと位相により調節される。前記図４はＦＳＭ情報が位相部分と大きさ部分で構成されていることを示している。前記モード２で使用する加重値情報は数式（６）に示すことができる。
【００５６】
【数８】
2004343773.tif 000012
【００５７】
前記数式（６）に示しているように、第１アンテナは大きさ情報のみを有し、前記第２アンテナは大きさ情報と位相情報を同時に有する。前記モード２で使用する加重値情報を全て受信するためには４ビットが必要であり、前記４ビットを伝送するためには４スロットが必要である。従って、前記４スロットの時間遅延を減少させるために、前記移動端末と基地局は漸進的なアップデート(progressive updating)方法を使用する。前記漸進的なアップデート方法は既に伝送されたＦＳＭビットを利用して以後伝送するＦＳＭビットを決定する。
【００５８】
図７は前記移動端末で漸進的なアップデート方法を使用してＦＳＭビットを伝送する例を示した図である。以下、前記図６乃至図７を利用して移動端末で使用する漸進的アップデート方法に対して詳細に説明する。
【００５９】
前記図７は４個のスロットと前記スロットで伝送するＦＳＭビットを示している。前記４個のスロットは(４ｍ、４ｍ+１、４ｍ+２、４ｍ+３)で構成される。前記４ｍスロットで前記移動端末はｂ３を伝送し、前記４ｍ+１でｂ２を伝送する。前記４ｍ+２で前記移動端末はｂ１を伝送し、前記４ｍ+３でｂ０を伝送する。前記移動端末は前記数式（２）により最大受信電力を有する加重値を計算する。前記数式（６）に示しているように前記第１アンテナが√0.8を有すると、前記第２アンテナは√0.2に該当する大きさを有するようになる。従って、前記第１アンテナが√0.2を有すると、前記第２アンテナは√0.8に該当するサイズを有するようになる。従って、前記移動端末は前記４ｍスロットでｂ３を伝送するために総１６個の加重値に対して仮設テストを遂行して、その中、最大受信電力を有する加重値を決定する。前記決定された加重値に対して前記移動端末は前記４ｍスロットで該当される４個のビットのうち、ｂ３に該当されるビットを伝送する。前記 ｂ３は前記図７に示しているようにｘ３に該当する値である。前記ｘ３を決定することにより、前記移動端末は図６に示された星座図で示しているように実数軸を基準に上下位置を決定するようになる。
【００６０】
前記４ｍスロットで前記ｘ３を決定した前記移動端末は前記４ｍ+１スロットでｘ２を決定する。前記移動端末は全ての加重値に対して最大受信電力を測定することではなく前記ｘ３により決定された位置に含まれている加重値のみに対して最大受信電力を測定する。従って、前記移動端末は８個の加重値のみに対して前記受信電力を測定する。その中、受信電力が最大になる加重値を決定し、前記測定により前記移動端末が伝送するｘ２を決定する。前記４ｍ+１スロットで前記ｘ２を決定した前記移動端末は前記４ｍ+２スロットで ｘ１を決定する。前記移動端末は全ての加重値に対して受信電力を測定することではなく前記ｘ３とｘ２により決定された位置に含まれている加重値のみに対して受信電力を測定する。従って、前記移動端末は４個の加重値のみに対して前記受信電力を測定する。その中、受信電力が最大になる加重値を決定し、前記測定により前記移動端末が伝送するｘ１を決定する。＜表３＞は前記移動端末で伝送するＦＳＭ位相情報を示している。
【００６１】
【表３】
2004343773.tif 000013
【００６２】
前記４ｍ+２スロットで前記ｘ１を決定した前記移動端末は前記４ｍ+３スロットでｘ０を決定する。前記ｘ０は大きさ情報を示す。前記移動端末は全ての加重値に対して受信電力を測定することではなく前記 ｘ３、ｘ２、ｘ１により決定された位置に含まれている加重値のみに対して受信電力を測定する。従って、前記移動端末は２個の加重値のみに対して前記受信電力を測定する。その中、受信電力が最大になる加重値を決定し、前記測定により前記移動端末が伝送するｘ０を決定する。＜表４＞は前記ｘ０で伝送するＦＳＭ大きさ情報を示している。
【００６３】
【表４】
2004343773.tif 000014
【００６４】
図８は漸進的なアップデート方法を使用する基地局で受信されたＦＳＭ情報を利用して加重値を決定する過程を示している。前記図８に示しているように、前記基地局は以前に決定された加重値と特定スロットで受信された情報を利用して加重値を決定する。数式（７）は前記基地局に特定スロットで第１アンテナと第２アンテナで使用する加重値ベクトルを示し、数式（６）を簡単に表現したものである。
【００６５】
【数９】
2004343773.tif 000015
【００６６】
前記基地局が前記移動端末から１番目のＦＳＭビットを受信する以前に前記基地局は第１アンテナと第２アンテナの送信電力を√0.5に維持する。また、前記基地局は１番目のＦＳＭ位相情報を受信する以前に第１アンテナと第２アンテナの位相差異をπに維持する。前記基地局は前記移動端末から伝達された前記ＦＳＭ位相情報を前記＜表３＞を利用して決定する。
前述した方法の一例を前記図６と＜表５＞を利用して説明する。
【００６７】
【表５】
2004343773.tif 000016
【００６８】
最初閉ループ送信ダイバーシティモード２に動作することにおいて、第１アンテナはＡの加重値を有しており、第２アンテナはＢの加重値を有していたと仮定する。第２アンテナに対して、先ず、４ｍスロットで１の値を受信したら前記第２アンテナの加重値は１四分面と２四分面のＣに移動するようになる。次に、移動端末は１四分面と２四分面の８個の加重値に対して受信電力を測定し、前記測定により受信電力を最大にする加重値を決定する。この加重値の値により、前記移動端末が４ｍ+１スロットに１を伝送することを決定し、基地局が４ｍ+１スロットで１の値を受信したら１四分面のＤに移動する。次に移動端末は１四分面の４個の加重値に対して受信電力を測定し、前記測定により受信電力を最大にする加重値を決定する。この加重値の値により前記移動端末が４ｍ+２スロットに０を伝送することを決定し、４ｍ+２スロットで基地局が０の値を受信したら４四分面のＥに移動する。最後に移動端末は１四分面で大きさを示す２個の加重値に対して受信電力を測定し、前記測定により受信電力を最大にする加重値を決定する。この加重値の値により前記移動端末が４ｍ+３スロットに０を伝送することを決定し、４ｍ+３スロットで基地局が０の値を受信したら１四分面のＦに移動し、第１アンテナは１四分面のＧに移動するようになる。以後には順にスロット別情報を受信することにより加重値を更新するようになる。
【００６９】
図９は本発明に従う閉ループ送信ダイバーシティ方法の具現技術である前記ＴｘＡＡ方式を使用する送信器の構造を示した図である。
多数の制御信号で構成される専用物理制御チャネル(Dedicated  Physical Control CHannel;以下、ＤＰＣＣＨ)及びデータ信号で構成される専用物理データチャネル(Dedicated Physical Data CHannel;以下、ＤＰＤＣＨ)は多重化され専用物理チャネル(Dedicated Physical CHannel;以下、ＤＰＣＨ)９０２を形成し、前記ＤＰＣＣＨ及びＤＰＤＣＨは下向きリンク(Downlink)では一般的に時間多重化(Time Multiplexing)される。
【００７０】
前記ＤＰＣＨ信号は乗算器９０４を通じてスクランブリングコードによりスクランブル(scramble)される。一方、前記スクランブルされたＤＰＣＨ信号は前記閉ループ送信ダイバーシティを適用するために乗算器９０６、９０８により所定の加重値(Weight)Ｗ１及びＷ２がかけられて、前記演算されたそれぞれの信号は第１アンテナ９１４及び第２アンテナ９１６を通じて送信される。
【００７１】
前記加重値の適用方法に従って前記閉ループ送信ダイバーシティの方式がモード１方式とモード２方式に分類される。即ち、前記二つのアンテナから受信された信号間の位相差のみを考慮して加重値を決定するモード１(Mode１)方式と前記位相差と大きさを共に考慮して加重値を決定するモード２(Mode２)方式がある。ＦＢＩメッセージ判断器９１８は前記上向きＤＰＣＣＨを通じて伝送されたＦＢＩメッセージを分析し、前記分析した結果をモード変更判断部９２２に伝達する。前記モード変更判断部９２２は上位階層から伝達される送信ダイバーシティ技法信号を利用して送信ダイバーシティ技法が変更されたか否かを判断する。即ち、前記モード変更判断部９２２は前記送信ダイバーシティ技法が閉ループ送信ダイバーシティモード１から送信ダイバーシティモード２へ変化されたか、送信ダイバーシティモード２から送信ダイバーシティモード１へ変更されたか否かを判断する。言い換えれば、送信ダイバーシティモード間変更が発生された場合、前記ＦＢＩメッセージ判断器９１８は受信されたＦＳＭビットと以前に使用した各アンテナの加重値情報を利用してモードが変更された以後、最初に適用される各アンテナの加重値を決定する。加重値生成器９２０は前記モード変更に応じて予め設定されている加重値を生成し、前記生成された加重値を乗算器９０６、９０８に伝達する。前記モード変更判断部９２２からモードが変更されなかったことを受信した前記加重値生成器９２０は一般的な加重値生成方法により前記基地局で使用する加重値を生成する。
【００７２】
一方、前記第１アンテナ及び第２アンテナに伝送される信号はそれぞれ多重化器９１０、９１２により各アンテナ別に設定された固有のパイロットチャネル信号(ＣＰＩＣＨ１、ＣＰＩＣＨ２)と多重化される。パイロットチャネル信号は全ての使用者に共通に受信されるチャネルであり、信号の復調及び無線チャネルの状態を測定するときに使用される。
【００７３】
以下、本発明のモード変更に従う加重値生成方法に対して説明する。本明細書では閉ループ送信ダイバーシティモード２から閉ループ送信ダイバーシティモード１に変更される１番目の場合と、閉ループ送信ダイバーシティモード１から閉ループ送信ダイバーシティモード２に変更される２番目の場合に対して説明する。前記モード変更は前記図９のモード変更判断部９２２でＤＰＣＨに対する無線リンク再確認(radio link reconfiguration)のとき、上位階層から送られる送信ダイバーシティ技法に関する信号を受信し、前記受信した信号による送信ダイバーシティ技法と以前に使用した送信ダイバーシティ技法とを比較することにより遂行される。先ず、前記１番目の場合に対して説明する。
【００７４】
図１０は閉ループ送信ダイバーシティモード２から閉ループ送信ダイバーシティモード１に変更される場合の加重値の変更を示した図である。
図１０を参照すると、前記基地局は前記モード変更以前に使用した加重値情報を参照してモード変更以後に使用する加重値を決定する。前記図１０に示しているように、前記モード２で使用する加重値をモード１で使用する加重値の個数と同一の個数でグループ化する。また、グループ化する方法は任意に設定することができるが、以下では説明の便利のため前記図１０を利用して説明する。前記図１０に示したように、モード２で使用可能な加重値のグループ化は同一の四分面にある加重値で構成される。以前使用していた加重値情報とモード変更直前に受信されたＦＳＭビットの情報を利用して送信ダイバーシティモード２で適用される加重値情報を先ず決定する。前記決定された加重値情報の位相を利用してモード１で最初に使用する加重値を決定する。
【００７５】
前記モード２で使用可能な加重値のうち、第１四分面にある加重値はモード１の１四分面に位置する加重値に対応する。前記モード２で使用可能な加重値のうち、第２四分面にある加重値はモード１の第２四分面に位置する加重値に対応する。前記モード２で使用可能な加重値のうち、第３四分面にある加重値はモード１の第３四分面に位置する加重値に対応する。前記モード２で使用可能な加重値のうち、第４四分面にある加重値はモード１の第４四分面に位置する加重値に対応する。数式（８）は前記モード２で使用可能な加重値を前記モード１で使用可能な加重値に変更する例を数式に表現している。
【００７６】
【数１０】
2004343773.tif 000017
【００７７】
前記数式（８）で、θはモード２で第１アンテナと第２アンテナ間の位相差を意味する。前記数式（８）に示しているように、前記第１アンテナと第２アンテナ間の位相差のみを考慮して前記モード１の第２アンテナが使用する加重値を決定する。
【００７８】
前記図１０により決定された加重値は、前記移動端末からモード１により測定されたＦＳＭビットが上向きＤＰＣＣＨを通じて伝送され、前記伝送されたＦＳＭビットを基地局で適用するときまで使用される。前記移動端末が伝送したＦＳＭビットを受信した基地局は、前記図６及び数式（５）により例１で説明した方法と類似した方法を通じて加重値をアップデートする。
【００７９】
図１１は閉ループ送信ダイバーシティモード１から閉ループ送信ダイバーシティモード２に変更される場合、加重値の変更を示している。上述したように前記モード１で使用する加重値は位相情報のみを有しているが、前記モード２で使用する加重値は大きさ情報と位相情報を有している。前記モード１で使用する加重値を利用して前記モード２で使用する加重値を決定するためには、前記変更時の加重値に対する大きさ情報を設定すべきである。前記図１１ではモード２で使用する加重値の大きさとして√0.5を使用している。しかし前記大きさ情報は使用者の選択により任意に設定することができるが、一般的に√0.2乃至√0.8間の値を設定する。数式（９）は前記モード１からモード２に送信ダイバーシティが変更される場合、前記加重値の対応関係を数式に表現している。
【００８０】
【数１１】
2004343773.tif 000018
【００８１】
前記数式（９）で、θはモード１で第１アンテナと第２アンテナ間の位相差異を意味し、φはモード２で第１アンテナと第２アンテナ間の位相差異を意味する。前記数式（９）を利用してモード２で使用する第１アンテナと第２アンテナの加重値の位相差をモード１で使用した第１アンテナと第２アンテナの加重値の位相差に設定する。また既設定された加重値に対するＦＳＭビットを貯蔵する。この時、大きさ情報は未だ決定されていないので＜表３＞を利用して位相情報を示すＦＳＭ３ビットを決定する。
【００８２】
前記図１１により決定された加重値は、移動端末がモード２を考慮して決定した加重値により決定されたＦＳＭビットが前記上向きＤＰＣＣＨのＦＢＩフィールドを通じて伝送され、前記伝送されたＦＳＭビットを基地局で適用するときまで使用される。前記移動端末が伝送したＦＳＭビットを受信した基地局は、前記＜図８＞により加重値をアップデートする。前記ＦＳＭビットのうち、大きさ情報に該当する情報が受信されるまで前記基地局は第１アンテナと第２アンテナに同一の送信電力を使用する。前記移動端末が伝送したＦＳＭビットのうち、位相情報を受信した基地局は前記＜表３＞を利用して加重値をアップデートする。前記移動端末が伝送したＦＳＭビットのうち、大きさ情報を受信した前記基地局は前記＜表４＞を利用して加重値をアップデートする。
【００８３】
以下、本発明の適切な実施形態として説明されてはいないが、開ループ送信ダイバーシティ方式から閉ループ送信ダイバーシティ方式に送信ダイバーシティ方式が変更される場合は、次のように簡単を通じて遂行され得る。前記モード変更判断部９２２は上位階層から伝達される送信ダイバーシティ方式信号を利用して送信ダイバーシティ方式が変化されるか否かを判断する。この中、開ループ送信ダイバーシティ方式から閉ループ送信ダイバーシティ方式への変化、または閉ループ送信ダイバーシティ方式から開ループ送信ダイバーシティ方式への変化が発生したか否かを判断する。即ち、開ループ送信ダイバーシティ方式から閉ループ送信ダイバーシティ方式への変化が発生した場合、前記モード変更判断部９２２はその結果を加重値生成器９２０に伝送し、前記加重値生成器９２０は前記モード変更判断部９２２の判断結果に応じて加重値情報を示す星座図でＡに該当する値を加重値に生成し、以後には移動端末から受信した加重値情報に応じて位相及び大きさ、あるいは位相情報を更新して新たな加重値を生成し、この値を利用してデータをアンテナ別にそれぞれ伝送する。
反対に、閉ループ送信ダイバーシティ方式から開ループ送信ダイバーシティ方式への変化が発生した場合には、アンテナのための別の加重値を生成する必要がない。
【００８４】
上述した本発明の詳細な説明では具体的な実施形態について説明したが、本発明の範囲を外れない限り多様な変形が可能なことはもちろんである。したがって、本発明の範囲は説明した実施形態に局限して定められてはいけないし、特許請求の範囲だけでなくこの許請求の範囲と均等なものにより定められなければならない。
【図面の簡単な説明】
【００８５】
【図１】一般的な閉ループ送信ダイバーシティを具現した送信器の構造を示した図である。
【図２】上向き専用物理制御チャネルの構造を示した図である。
【図３】上向き専用物理制御チャネルのフィードバックフィールドの構造を示した図である。
【図４】フィードバックフィールドにより伝送されるフィードバック信号メッセージ(ＦＳＭ)の構造を示した図である。
【図５】閉ループ送信ダイバーシティモード１で使用する加重値を星座図を利用して示した図である。
【図６】閉ループ送信ダイバーシティモード２で使用する加重値を星座図を利用して示した図である。
【図７】閉ループ送信ダイバーシティモード２を使用する移動端末で決定された加重値をフィードバック信号メッセージを利用して伝送する過程を示した図である。
【図８】閉ループ送信ダイバーシティモード２を使用する基地局で受信されたフィードバック信号メッセージを利用して加重値を決定する過程を示した図である。
【図９】本発明に従う閉ループ送信ダイバーシティを具現した送信器の構造を示した図である。
【図１０】本発明に従う閉ループ送信ダイバーシティモード２の加重値を閉ループ送信ダイバーシティモード１の加重値に変換する過程を示した図である。
【図１１】本発明に従う閉ループ送信ダイバーシティモード１の加重値を閉ループ送信ダイバーシティモード２の加重値に変換する過程を示した図である。
【符号の説明】
【００８６】
９０２  専用物理チャネル（ＤＰＣＨ）
９０４  乗算器
９０６，９０８  乗算器
９１０，９１２  多重化器
９１４，９１６  アンテナ
９１８  ＦＢＩメッセージ判断器
９２０  加重値生成器
９２２  モード変更判断部
【図１】
2004343773.tif 000023
【図２】
2004343773.tif 000024
【図３】
2004343773.tif 000025
【図４】
2004343773.tif 000026
【図５】
2004343773.tif 000027
【図６】
2004343773.tif 000028
【図７】
2004343773.tif 000029
【図８】
2004343773.tif 000030
【図９】
2004343773.tif 000031
【図１０】
2004343773.tif 000032
【図１１】
2004343773.tif 000033
【外国語明細書】
2004343773.tif 000034
2004343773.tif 000035
2004343773.tif 000036
2004343773.tif 000037
2004343773.tif 000038
2004343773.tif 000039
2004343773.tif 000040
2004343773.tif 000041
2004343773.tif 000042
2004343773.tif 000043
2004343773.tif 000044
2004343773.tif 000045
2004343773.tif 000046
2004343773.tif 000047
2004343773.tif 000048
2004343773.tif 000049
2004343773.tif 000050
2004343773.tif 000051
2004343773.tif 000052
2004343773.tif 000053
2004343773.tif 000054
2004343773.tif 000055
2004343773.tif 000056
2004343773.tif 000057
2004343773.tif 000058
2004343773.tif 000059
2004343773.tif 000060
2004343773.tif 000061
2004343773.tif 000062
2004343773.tif 000063
2004343773.tif 000064
2004343773.tif 000065
2004343773.tif 000066
2004343773.tif 000067
2004343773.tif 000068
2004343773.tif 000069
2004343773.tif 000070
2004343773.tif 000071
2004343773.tif 000072
2004343773.tif 000073
2004343773.tif 000074